(57)【要約】【課題】本発明では、ハウス内の地面に野菜苗植付機の移動スペースを作ることなく全面に複数の畝条を形成してハウス内の全地面を畝として有効に活用しながら、従来のハウス内野菜苗植付装置よりも低価格なハウス内の野菜苗植付装置及び作業が楽な野菜苗移植方法を提供することが課題である。【解決手段】ハウス１内の地面に形成する複数の畝条Ｕ，Ｕの最外側に畝条に沿って端から端まで二本のガイドレール２，３を設けると共に両ガイドレール２，３に掛け渡して畝条Ｕ方向へ移動可能に移動レール４，５を支持し、この移動レール４，５に野菜苗植付機７等を搭載可能な作業機台６を移動レール４，５方向へスライド可能に設けてハウス内野菜苗植付装置を構成した。【選択図】図１
2009261326.tif 000002
【特許請求の範囲】
【請求項１】
ハウス（１）内の地面に形成する複数の畝条（Ｕ），（Ｕ）の最外側に畝条に沿って端から端まで二本のガイドレール（２），（３）を設けると共に両ガイドレール（２），（３）に掛け渡して畝条（Ｕ）方向へ移動可能に移動レール（４），（５）を支持し、この移動レール（４），（５）に野菜苗植付機７等を搭載可能な作業機台（６）を移動レール（４），（５）方向へスライド可能に設けてなるハウス内野菜苗植付装置。
【請求項２】
ハウス（１）内の地面に形成する複数の畝条（Ｕ），（Ｕ）の最外側に畝条に沿って端から端まで二本のガイドレール（２），（３）を設けると共に両ガイドレール（２），（３）に掛け渡して畝条（Ｕ）方向へ移動可能に移動レール（４），（５）を支持し、この移動レール（４），（５）に野菜苗植付機７等を搭載可能な作業機台（６）を移動レール（４），（５）方向へスライド可能に設けて、作業機台（６）が畝条（Ｕ）の上側から外れた位置で野菜苗植付機（７）へ苗を供給し、その後に作業機台（６）を畝条（Ｕ）上に移動して野菜苗植付機（７）を植え付け作動させるハウス内の野菜苗移植方法。
【発明の詳細な説明】
【技術分野】
【０００１】
この発明は、ハウス内でポット状の野菜苗を畝床に植え付けるハウス内の野菜苗植付装置及び野菜苗移植方法に関する。
【背景技術】
【０００２】
ハウス内野菜苗植付装置は、例えば、特開２００６−９４８３４号公報に記載の如く、ハウス内に形成した畝条に沿って走行しながら野菜苗の植付作業を行う野菜苗植付機とハウス内の天井付近に設ける前記野菜苗植付機の吊り下げ手段とから構成した技術がある。このハウス内野菜苗植付装置は、一つの畝条を植え終わって隣の畝条に移る場合に吊り下げ手段で野菜苗植付機を吊り上げて横移動し反転して隣の畝条の植付を行う。
【特許文献１】特開２００６−９４８３４号公報
【発明の開示】
【発明が解決しようとする課題】
【０００３】
前記のハウス内野菜苗植付装置は、畝条を移るための地面スペースを作ることなく吊り下げ手段で野菜苗植付機を吊り下げて畝条を移るようにしているが、重い野菜苗植付機を吊り下げる吊り下げ手段のためにハウスを強固するか或いはハウス内に吊り下げ手段用の支持フレームを設ける構成にしなければならない。
【０００４】
そこで、本発明では、ハウス内の地面に野菜苗植付機の移動スペースを作ることなく全面に複数の畝条を形成してハウス内の全地面を苗植付面として有効に活用しながら、従来のハウス内野菜苗植付装置よりも低価格なハウス内の野菜苗植付装置及び作業が楽な野菜苗移植方法を提供することが課題である。
【課題を解決するための手段】
【０００５】
上記本発明の課題は、次の技術手段により解決される。
請求項１に記載の発明は、ハウス１内の地面に形成する複数の畝条Ｕ，Ｕの最外側に畝条に沿って端から端まで二本のガイドレール２，３を設けると共に両ガイドレール２，３に掛け渡して畝条Ｕ方向へ移動可能に移動レール４，５を支持し、この移動レール４，５に野菜苗植付機７等を搭載可能な作業機台６を移動レール４，５方向へスライド可能に設けてハウス内野菜苗植付装置を構成した。
【０００６】
この構成で、野菜苗植付機７等を搭載した作業機台６を移動レール４，５に固定してガイドレール２，３の方向に移動レール４，５を移動することで畝条Ｕに沿った移動が可能で、移動レール４，５に沿って作業機台６をスライドすることで作業機台６が隣の畝条Ｕに移動することになり、結局野菜苗植付機７等を搭載した作業機台６がハウス内の任意位置へ移動可能になって、ハウス１内の畝条Ｕ全体へ苗を植え付けることが出来る。
【０００７】
請求項２に記載の発明は、ハウス１内の地面に形成する複数の畝条Ｕ，Ｕの最外側に畝条Ｕに沿って端から端まで二本のガイドレール２，３を設けると共に両ガイドレール２，３に掛け渡して畝条Ｕ方向へ移動可能に移動レール４，５を支持し、この移動レール４，５に野菜苗植付機７等を搭載可能な作業機台６を移動レール４，５方向へスライド可能に設けて、作業機台６が畝条Ｕの上面から外れた位置で野菜苗植付機７へ苗を供給し、その後に作業機台６を畝条Ｕ上に移動して野菜苗植付機７を植え付け作動させるようにするハウス内の野菜苗移植方法とした。
【０００８】
この野菜苗移植方法で、作業者がハウス１内を動き回ることなく、畝条Ｕの側部を畝条Ｕに沿って直線的に移動しながら楽に苗の移植作業を行なえる。
【発明の効果】
【０００９】
請求項１に記載の発明では、ハウス１内の側部に設けるガイドレール２，３とそのガイドレール２，３に掛け渡す移動レール４，５を設け、この移動レール４，５にスライド可能に支持した作業機台６に野菜苗植付機７等を搭載する構成であるために、ハウス１を補強したり野菜苗植付機７を吊り下げ移動する強固な構築部材を設けたりする必要が無く、全体の設備として安く構成できる。
【００１０】
請求項１に記載の発明では、作業者が畝条Ｕから外れた位置を畝条Ｕに沿って直線的に移動しながら苗の植え付け作業を行なえるので、従来よりも作業が楽になる。
【発明を実施するための最良の形態】
【００１１】
この発明の実施例を、以下に説明する。この説明で畝条Ｕの長手方向を前後、直交方向を左右という。
【００１２】
ハウス１内に二つの畝条Ｕ，Ｕを形成し、この畝条Ｕ，Ｕの外側に沿ってハウス１の内側に接近して畝条Ｕの上面よりやや高い位置に杆状のガイドレール２，３を前後方向へ設ける。
【００１３】
この左右ガイドレール２，３に前後二本の杆状移動レール４，５をスライド可能に掛け渡し、畝条Ｕの左右幅と略同幅の作業機台６を移動レール４，５に左右スライド可能に搭載している。前後のレール４，５の間隔は、搭載する作業機台６の前後幅によって変更可能である。
【００１４】
作業機台６には、左右一列にポット苗を受け入れる植付カップ２０を設けた苗植付装置７を搭載している。苗植付装置７の詳細構造は省略しているが、待機の上側位置にある植付カップ２０がボタン（図示省略）を押すと降下して畝面に苗を植え込み、その後上昇して待機位置に戻る動作を行う。
【００１５】
苗の植付作業は、作業機台６にポット苗のトレイ１０を載せて、作業者が左右の畝条Ｕ，Ｕの間に位置して、トレイ１０からポット苗を取り出して植付カップ２０に投入し、全ての植付カップ２０がポット苗で満たされると作業機台６を一方の畝条Ｕの真上に移動し苗植付装置７のボタンを押す。すると、植付カップ２０が降下してポット苗の植付を行う。再び作業機台６を左右の畝条Ｕ，Ｕの間に戻して植付カップ２０への苗供給を行い、作業機台６を他方の畝条Ｕの真上に移動し苗植付装置７のボタンを押し苗の植付を行う。このような植付作業で左右の畝条Ｕ，Ｕに苗の植付が終わると、苗の畝間隔分だけ移動レール４，５を前進させ、前記と同じように左右の畝条Ｕ，Ｕへの植付作業を繰り返す。
【００１６】
なお、前記の苗植付は手動であるが、作業者が一旦植付カップ２０への苗供給が終了すると、作業機台６が自動で畝条Ｕ上に移動し植付カップ２０が自動で降下して苗の植付を行い、作業者が待機している位置へ復帰するように自動制御しても良い。また、左右の畝条Ｕに種類の違う野菜苗を植え付ける場合に、作業機台６に搭載した一種類の苗トレイの苗を片側の畝条Ｕに集中して植えつける場合には移動範囲切換えボタンを押すことで片側の畝条Ｕのみを往復移動し植付を行うように出来る。
【００１７】
畝条Ｕが二列の場合には、畝条Ｕの終端まで移動レール４，５を移動するとハウス１内での苗植付作業が終了するが、畝条Ｕ，Ｕが二列以上ある場合には、作業機台６を移動レール４，５に沿って横の未植付畝条Ｕ，Ｕに移動し、前記と同じ植付作業を繰り返す。
【００１８】
作業機台６は、苗の植付作業だけでなく、図２に示すごとく、水や薬液のタンク８を作業機台６に載せてノズル９から水や薬剤を散布する管理作業にも使う。なお、この管理作業は、水や薬液のタンク８を左右の畝条Ｕ，Ｕの中間位置に設け、左右の畝条Ｕ，Ｕ上に配置するノズル９へ水や薬剤を供給して散布する構成で行うようにすることもある。この場合には複数のノズルを設けたノズル管を左右のガイドレール２，３に支架してタンク８と共に前後へ移動するようにする。この散布作業ではノズルの開閉を行う自動弁と苗の存在を感知するセンサを設けて、苗の無い位置ではノズルからの散布を停止するようにする。
【００１９】
また、図３に示す如く、収穫容器１５を作業機台６に載せて収穫作業で使用する場合もある。
図４と図５は、苗植付装置７で植え付けた苗１９が浮き上がらないようにする構造で、作業機台６の底部に押さえ杆１１，１２と鎮圧輪１３，１４を設けている。押さえ杆１１，１２は取付部から押え部１１ａ，１２ａに向けて下り傾斜しながら押え部１１ａ，１２ａで苗１９を両側から挟み込むみながら押し下げるように伸ばし、先端を地面に差し込まないように少し浮き上がらせている。
【００２０】
図６と図７は、押さえ杆１１，１２の形状を変更した実施例で、取付部から押え部１１ａ，１２ａに向けてループ状に湾曲させた形状としている。
苗植付装置７で苗を畝状Ｕに植えた後に作業機台６を横移動すると、まず、押さえ杆１１，１２がポット苗１９のポット状土部を上から地面に押し込み、さらに鎮圧輪１３，１４でポット苗１９の周囲の地面を踏み固める。
【００２１】
図８と図９は、鎮圧輪１３，１４の対向外周を柔らかいスポンジローラ１３ａ，１４ａで構成し、内側に嵌め込む高分子吸収体１３ｂ，１４ｂからスポンジローラ１３ａ，１４ａに水分を補給するようにしている。また、スポンジローラ１３ａ，１４ａの上側に設ける給水管１７，１８からスポンジローラ１３ａ，１４ａへ水を供給するようにしても良い。この鎮圧輪１３，１４でポット苗１９を押さえると、スポンジローラ１３ａ，１４ａがポット苗１９の葉部を押さえ込むが水分を含み柔らかいので葉部を傷つけなく、レタス苗等の植付に有効である。
【図面の簡単な説明】
【００２２】
【図１】本発明の実施例を示すハウス内の斜視図である。
【図２】一部の斜視図である。
【図３】一部の斜視図である。
【図４】一部の拡大斜視図である。
【図５】一部の拡大正面図である。
【図６】一部の拡大斜視図である。
【図７】一部の拡大正面図である。
【図８】一部の拡大斜視図である。
【図９】一部の拡大正面図である。
【符号の説明】
【００２３】
Ｕ  畝条
１  ハウス
２，３  ガイドレール
４，５  移動レール
６  作業機台
７  野菜苗植付機
【図１】
2009261326.tif 000003
【図２】
2009261326.tif 000004
【図３】
2009261326.tif 000005
【図４】
2009261326.tif 000006
【図５】
2009261326.tif 000007
【図６】
2009261326.tif 000008
【図７】
2009261326.tif 000009
【図８】
2009261326.tif 000010
【図９】
2009261326.tif 000011